(57)【要約】【課題】  物品に取り付けられたＲＦＩＤタグの物品情報が含まれる電磁波が、電磁遮蔽材による影響を受けることなく読出装置に受信される什器を提供すること。【解決手段】  収納部に設けた仕切板に読出装置４１を設け、この読出装置４１を電磁遮蔽材から成る背面板１７、側面板１９、棚板２６から所定間隔離間させて配設し、読出装置４１と収納部に納められた物品に付けられたＲＦＩＤタグ３０とで作用する電磁波が背面板１７、側面板１９、棚板２６による影響を受けることなく、読出装置４１がＲＦＩＤタグ３０の物品情報の読み出しを正確に行う。【選択図】  図５
2005150314.tif 000002
【特許請求の範囲】
【請求項１】
前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記収納部は仕切板により複数に区画され、該仕切板には前記読出装置が配設されていることを特徴とする物品情報の読出装置を備える什器。
【請求項２】
少なくとも前記収納部を構成する一部が電磁遮蔽材によって構成された場合に、該電磁遮蔽材から前記読出装置が所定間隔離間されるように前記仕切板に配設されている請求項１に記載の物品情報の読出装置を備える什器。
【請求項３】
前記仕切板に２つの読出装置が配設され、隣接する読出装置の間には、電磁波干渉防止部材が介挿されている請求項１または２に記載の物品情報の読出装置を備える什器。
【請求項４】
前記仕切板は収納部に対して、その取付位置を変更できる請求項１乃至３のいずれかに記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００６】
そこで本発明は、このような問題点に着目してなされたもので、物品に取り付けられたＲＦＩＤタグの物品情報が含まれる電磁波が、電磁遮蔽材による影響を受けることのなく読出装置に受信される什器を提供することを目的とする。
【課題を解決するための手段】
【０００７】
上記課題を解決するために、本発明の請求項１に記載の物品情報の読出装置を備える什器は、前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記収納部は仕切板により複数に区画され、該仕切板には前記読出装置が配設されていることを特徴としている。
この特徴によれば、例えば、収納部全体がスチール等の電磁遮蔽材で構成された什器であっても、読出装置は仕切板に配設されているので、読出装置からの電磁波を電磁遮蔽材にほとんど影響されることなくＲＦＩＤタグに受信させ、ＲＦＩＤタグからの電磁波を読出装置に受信させることができる。
【０００８】
本発明の請求項２に記載の物品情報の読出装置を備える什器は、請求項１に記載の物品情報の読出装置を備える什器であって、少なくとも前記収納部を構成する一部が電磁遮蔽材によって構成された場合に、該電磁遮蔽材から前記読出装置が所定間隔離間されるように前記仕切板に配設されていることを特徴としている。
この特徴によれば、仕切板に配設されている読出装置と電磁遮蔽材との間隔を常に離間させているので、ＲＦＩＤタグからの電磁波を電磁遮蔽材に影響されることなく読出装置に受信させることができる。
【０００９】
本発明の請求項３に記載の物品情報の読出装置を備える什器は、請求項１または２に記載の物品情報の読出装置を備える什器であって、前記仕切板に２つの読出装置が配設され、隣接する読出装置の間には、電磁波干渉防止部材が介挿されていることを特徴としている。
この特徴によれば、電磁波干渉防止部材の介挿により、隣接する読出装置の電磁波が干渉することがなく、それぞれ別個に区画された収納部に収納される物品の情報を区画毎に受信でき、読出装置の負荷も互いに分散される。
【００１０】
本発明の請求項４に記載の物品情報の読出装置を備える什器は、請求項１乃至３のいずれかに記載の物品情報の読出装置を備える什器であって、前記仕切板は収納部に対して、その取付位置を変更できることを特徴としている。
この特徴によれば、仕切板の位置を所望の位置に設定できる読出装置を備える什器を提供できる。
【発明を実施するための最良の形態】
【００１１】
本発明の実施例を以下に説明する。
【実施例１】
【００１２】
図１は本発明の実施例１における什器が適用された物品管理システムの構成を示すブロック図、図２（ａ）は本発明の什器を示す正面図、（ｂ）は什器の扉を開放した状態を示す正面図、図３は図２（ｂ）の什器のＡ―Ａ線の縦断面図、図４は仕切板の分解組立と仕切板の取付を示す斜視図、図５は図２（ｂ）の什器のＢ−Ｂ線の平面断面図である。
【００１３】
図1に示されるように、物品が収納される什器１は複数設置（本実施例では３台設置）されており、これら什器１側からは通信ケーブル２を介して中継装置１１に接続されており、中継装置１１は通信ケーブル２を介して什器アンテナ１０に接続されている。
【００１４】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１５】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１６】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられており、これらの収納部にファイルやカルテ等の書類を収納するファイルケースや書籍等の物品７が収納されている。後述において詳述するが、什器１に収納されるファイルケースや書籍等の物品には、個々にＲＦＩＤタグが貼付されている。
【００１７】
書庫１００の上棚収納部１０１や下棚収納部１０２には、後述において詳述するが読出装置としてのＲＦＩＤアンテナが配設されており、ＲＦＩＤタグからの物品情報を含む電磁波を受信可能になっている。ＲＦＩＤアンテナは通信ケーブル２、中継装置１１、什器アンテナ１０、管理アンテナ９を介して、管理コンピュータ３に接続されており、これら什器１に収納されるＲＦＩＤタグの物品情報のデータが管理コンピュータ３に送信されることで、管理コンピュータ３で複数の什器１に収納される物品の管理を一元的に行えるようになっている。
【００１８】
また、後述において詳述するが書庫１００には、解錠ランプ１１５、施解錠装置１１７、スピーカ１１６、上棚指示ランプ１１１、下棚指示ランプ１１２が設けられており、前述のＲＦＩＤアンテナと同様に通信ケーブル２、中継装置１１、什器アンテナ１０、管理アンテナ９を介して、管理コンピュータ３に接続されており、管理コンピュータ３で一元的に什器１を制御可能になっている。
【００１９】
図２（ａ）に示されるように書庫１００には、前面がガラス扉１３によって構成されており、ガラス扉１３は左右に開閉可能な引戸構造になっており、左右それぞれに形成された左手掛部１３ｂや右手掛部１３ａで扉を開放できるようになっている。
【００２０】
正面下方には右側より、解錠ランプ１１５、施解錠装置１１７、スピーカ１１６が設けられている。施解錠装置１１７は手動によって外部から施解錠させることもできるが、通常は管理コンピュータ３からの制御データに基づいて、ガラス扉１３の施解錠が行われるようになっている。ガラス扉１３の解錠が行われると解錠ランプ１１５が点灯し、旋錠が行われると解錠ランプ１１５が消灯する構成になっている。スピーカ１１６は解錠ランプ１１５の代替手段として設けられており、ブザー等で報知できるようになっている。
【００２１】
図２（ｂ）に示されるように、書庫１００の収納部は棚板２５によって、上棚収納部１０１と下棚収納部１０２とに区分されており、上棚収納部１０１にはファイルケース１４、下棚収納部１０２には書籍１５が収納されている。さらに下棚収納部１０２には仕切板５０が取り付けられており、この仕切板５０によって下棚収納部１０２が左右に区分され、下棚左収納部１０２ｂ、下棚右収納部１０２ａが形成される。
【００２２】
棚板２５には上棚指示ランプ１１１、下棚指示ランプ１１２が設けられており、管理コンピュータ３からの制御データに基づいて、これらランプの点灯消灯が制御されるようになっている。
【００２３】
そこで、本実施例の什器１が適用された物品管理システムの使用方法の一例である物品の貸出方法を説明すると、書籍１５の貸出しを希望する利用者によって、図１に示される入力端末４より所望の書籍１５がリストアップされ、貸出し予約が行われる。
【００２４】
管理コンピュータ３は入力端末４からの貸出し予約に基づいて、該当する書籍１５が収納される什器１の収納場所（本実施例においては書庫１００の下棚収納部１０２とする）を特定する。
【００２５】
そして、管理コンピュータ３は特定された収納場所である書庫１００の施解錠装置１１７に解錠信号、解錠ランプ１１５と下棚指示ランプ１１２に点灯信号を送信する。
【００２６】
管理コンピュータ３からの解錠信号に基づいて施解錠装置１１７が解錠され、点灯信号に基づいて図２（ｂ）に示されるように、解錠ランプ１１５と下棚指示ランプ１１２が点灯される。
【００２７】
そこで、解錠ランプ１１５の点灯を目印に書籍１５の収納場所まで利用者に移動してもらい、すでに解錠信号によって解錠されたガラス扉１３を利用者に開放してもらう。
【００２８】
下棚指示ランプ１１２が予め管理コンピュータ３からの点灯信号に基づいて点灯していることから、利用者に対して下棚収納部１０２に貸出し予約された書籍１５がある旨の報知がなされる。
【００２９】
利用者によって貸出し予約された書籍１５が下棚収納部１０２から取り出されると、下棚収納部１０２に配設されたＲＦＩＤアンテナが、書籍１５に貼付されたＲＦＩＤタグからの電磁波を受信できなくことから、管理コンピュータ３は書籍１５の貸出しが行われたと判断し、貸出し完了となる。
【００３０】
また、利用者が誤って貸出し予約した書籍１５とは違う書籍１５を下棚収納部１０２から取り出した場合には、管理コンピュータ３から下棚指示ランプ１１２やスピーカ１１６、解錠ランプ１１５に対してエラー信号を送信し、ランプの点滅やブザーによる報知を行うことで、利用者や管理者にエラー報知を行うようになっている。
【００３１】
次に、下棚収納部１０２に配設されたＲＦＩＤアンテナと、ＲＦＩＤタグとの関係を図２ないし図５を用いて、さらに詳述して説明する。
【００３２】
図２に示すように、書庫１００の内部空間は電磁遮蔽材である棚板２５によって上下に区画され、上棚収納部１０１、下棚収納部１０２が形成されている。下棚収納部１０２は、図３に示すように、電磁遮蔽材である背面板１７、側面板１９、底板として構成されている棚板２６、とガラス扉１３から構成されている。下棚収納部１０２には、棚板２５と棚板２６の間に仕切板５０が取り付けられ、仕切板５０にはＲＦＩＤタグの読出装置に相当する仕切ＲＦＩＤアンテナ４４が配設されている。
【００３３】
この仕切板５０の構成と取付構造を図４を用いて詳述する。この図４は下棚収納部１０２の開口側である書庫１００の前面下方側より上方に棚板２５、２６を見上げた斜視図が示されている。
【００３４】
仕切板５０は仕切本体５１と蓋５２からなり、内部に仕切ＲＦＩＤアンテナ４４納められている。仕切本体５１の上部には、２つの突起５１ａが前後に所定の間隔をもって上方に延出するように形成されており、同様に下部にも２つの突起５１ｂが前後に所定の間隔をもって下方に延出するよう形成されている。この仕切本体５１には仕切ＲＦＩＤアンテナ４４が所定の位置に配設され、仕切本体５１の前後に形成された条溝（図示略）に蓋５２が嵌挿されることで仕切板５０を構成している。なお蓋５２は、例えば書籍１５の収納時に、仕切ＲＦＩＤアンテナ４４に傷や故障等が発生することを未然に防いでいる。
【００３５】
棚板２５の底部には、前後に所定の間隔をもって凸条部２７が形成されており、凸条部２７の頂面部には取付穴２７ａが複数設けられている。棚板２６の上部には、前後に所定の間隔をもって取付穴２６ａが複数設けられている。
【００３６】
仕切板５０を下棚収納部１０２に取り付けるには、所望の取付位置に対応する棚板２５の取付穴２７ａと棚板２６の取付穴２６ａを特定し、仕切板５０を左右の一方に傾斜させながら突起５１ａ、５１ｂを取付穴２７ａ、２６ａに挿通させ、棚板２５、２６の間に位置決め固定する。
【００３７】
位置決め固定された仕切ＲＦＩＤアンテナ４４は、図３に示すように、常に背面板１７から所定間隔（Ｌ１）離間され、同様に棚板２６からも所定間隔（Ｌ２）で離間されるように配置される。
【００３８】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００３９】
そこで、本実施例においては図３に示されるように、仕切板５０に配設される仕切ＲＦＩＤアンテナ４４と背面板１７との間隔（Ｌ１）を５０ｍｍとし、仕切ＲＦＩＤアンテナ４４と棚板２６との間隔（Ｌ２）を５０ｍｍとし、仕切ＲＦＩＤアンテナ４４とガラス扉１３との間隔（Ｌ３）は、ガラス扉１３が非電磁遮蔽部材であるので、特に限定する必要はないが、書庫１００の前面扉がガラス扉１３ではなく、特にスチール等の電磁遮蔽材によって構成される場合も想定して、予め電磁波が影響を受けないように間隔（Ｌ３）を本実施例では５０ｍｍとし、図５で示した仕切ＲＦＩＤアンテナ４４の側面板１９からの距離は５０ｍｍとした（Ｌ４）の長さ以上とする。
【００４０】
図５に示されるように、下棚収納部１０２には仕切板５０が取り付けられており、この仕切板５０によって下棚収納部１０２が下棚右収納部１０２ａと下棚左収納部１０２ｂとに区画され、これら下棚右収納部１０２ａと下棚左収納部１０２ｂには、書籍１５が複数収納されており、書籍１５の両側面にはＲＦＩＤタグ３０が貼付されている。
【００４１】
棚板２５、２６に複数形成される取付穴２７ａ，２６ａは、いずれの取付穴に仕切板５０が取り付けられた場合であっても、常に左右の側面板１９から仕切板５０に配設される仕切ＲＦＩＤアンテナ４４を所定間隔（Ｌ４）以上離間させる構成になっている
【００４２】
このことから、仕切板５０がいずれの取付位置に取り付けられても、仕切ＲＦＩＤアンテナ４４は電磁遮蔽材で構成される背面板１７、側面板１９、棚板２６から影響を受けることなく、下棚右収納部１０２ａと下棚左収納部１０２ｂに収納される書籍１５のＲＦＩＤタグ３０との電磁波の送受信が行える。
【００４３】
以上の説明により実施例１の下棚収納部１０２では、収納部全体がスチール等の電磁遮蔽材で構成された什器１であっても、読出装置に相当する仕切ＲＦＩＤアンテナ４４が仕切板５０に配設されることにより、仕切板５０を収納部に相当する下棚収納部１０２の取付位置（取付穴２７ａ、２６ａ）に取り付けるだけで、電磁遮蔽材に相当する背面板１７、左右の側面板１９、棚板２６から所定間隔（Ｌ１、Ｌ４、Ｌ２）離間させることができるので、仕切ＲＦＩＤアンテナ４４とＲＦＩＤタグ３０から発生される電磁波が背面板１７、左右の側面板１９、棚板２６等の電磁遮蔽材から影響を受けることがなく、電磁波の送受信が行え、ＲＦＩＤタグ３０の物品情報の読み出しが正確に行える什器１となっている。
【実施例２】
【００４４】
本発明の実施例２の説明を図６に基づき説明する。図６は本発明の実施例２である什器の平面断面図である。なお、前記実施例１と同様の構造部分に関しては、同一の符号を付すことにより詳細な説明は省略することとする。
【００４５】
前記の実施例１の下棚収納部１０２においては、１つの仕切ＲＦＩＤアンテナ４４で下棚右収納部１０２ａと下棚左収納部１０２ｂに収納される書籍１５のＲＦＩＤタグ３０と電磁波の送受信を行っているが、下棚右収納部１０２ａと下棚左収納部１０２ｂとに収納される書籍１５のＲＦＩＤタグ３０の電磁波を別個に送受信が可能な読出装置を備えた仕切板５０の構造ついて以下に説明する。
【００４６】
仕切板５０によって左右に区画される下棚左収納部１０２ｂと下棚右収納部１０２ａには、ＲＦＩＤタグ３０が貼付された書籍１５が複数収納されている。仕切板５０の仕切本体５１と蓋５２の間には、仕切本体５１側から仕切ＲＦＩＤアンテナ４６、磁性体２１、電磁遮蔽材６０、磁性体２１、仕切ＲＦＩＤアンテナ４５が順に介挿され多層状に配設されている。
【００４７】
電磁遮蔽材６０は金属板によって構成されており、左右の仕切ＲＦＩＤアンテナ４６、４５の電磁波が互いに干渉することを防ぐ特性を有している。左右の仕切ＲＦＩＤアンテナ４６、４５と電磁遮蔽材６０との間に介挿される磁性体２１は、電磁遮蔽材６０から発生する磁界が左右の仕切ＲＦＩＤアンテナ４６、４５から発生する電磁波に与える影響を防ぐ特性を有している。
【００４８】
このことから、磁性体２１を電磁遮蔽材６０の両側面と左右の仕切ＲＦＩＤアンテナ４６、４５との間に介挿させることにより、下棚左収納部１０２ｂに収納される書籍１５の物品情報を仕切ＲＦＩＤアンテナ４６で、そして下棚右収納部１０２ａに収納される書籍１５の物品情報を仕切ＲＦＩＤアンテナ４５で、それぞれ別個に区画して受信できる。これにより、ＲＦＩＤタグ３０との電磁波の送受信に関わる仕切ＲＦＩＤアンテナ４６、４５負荷も互いのに分散されるので、ＲＦＩＤタグ３０の物品情報の読み出しが正確に行える。
【００４９】
実施例２の下棚収納部１０２では、読出装置に相当する仕切ＲＦＩＤアンテナ４６、４５との間に、電磁遮蔽材６０の両側面に磁性体２１を備えた電磁波干渉防止部材を介挿することで、隣接する仕切ＲＦＩＤアンテナ４６、４５の電磁波が互いに干渉することがなく、それぞれ別個に区画された収納部相当する下棚左収納部１０２ｂと下棚右収納部１０２ａに収納される物品の情報を区画毎に受信できる。
【００５０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、下棚収納部１０２に取り付けられる仕切板５０が１つであるが、本発明はこれに限定されるものではなく、収納部に仕切ＲＦＩＤアンテナ４４が配設された仕切板５０を複数備えるようにしても良い。
【００５１】
また、上記実施例では、書籍１５が収納される下棚収納部１０２を報知する手段として、棚板２５に下棚指示ランプ１１２が設けられているが、本発明はこれに限定されるものではなく、仕切板５０に直接報知手段としての指示ランプを設けても良い。
【００５２】
更に、書籍を仕切板の左右どちら側の側板近傍に置いても読みとり易いように、書籍１５の両側面にＲＦＩＤタグ３０を貼付した例を示したが、スペーサ等を用いれば書籍等の物品の片側だけＲＦＩＤタグ３０を貼付するようにしたものでも良いことは言うまでもない。
【図面の簡単な説明】
【００５３】
【図１】本発明の実施例１における什器が適用された物品管理システムの構成を示すブロック図である。
【図２】（ａ）は、本発明の什器を示す正面図である。  （ｂ）は、什器の扉を開放した状態を示す正面図である。
【図３】図２（ｂ）の什器のＡ―Ａ線の縦断面図である。
【図４】仕切板の分解組立と仕切板の取付を示す斜視図である。
【図５】図２（ｂ）の什器のＢ−Ｂ線の平面断面図である。
【図６】本発明の実施例２である什器の平面断面図である。
【符号の説明】
【００５４】
１                什器
２                通信ケーブル
３                管理コンピュータ
４                入力端末
５                ＲＦＩＤリーダ／ライタ
６                利用者認証カード
７                物品
８                ＬＡＮケーブル
９                管理アンテナ
１０              什器アンテナ
１１              中継装置
１３              ガラス扉
１３ａ            右手掛部
１３ｂ            左手掛部
１４              ファイルケース
１５              書籍
１７              背面板（電磁遮蔽材）
２１              磁性体（電磁波干渉防止部材の一部）
２５              棚板（電磁遮蔽材）
２６              底板の棚板（電磁遮蔽材）
２６ａ            取付穴（仕切板の取付位置）
２７              凸条部
２７ａ            取付穴（仕切板の取付位置）
３０              ＲＦＩＤタグ
４４              仕切ＲＦＩＤアンテナ（読出装置）
４５              右側の仕切ＲＦＩＤアンテナ（読出装置）
４６              左側の仕切ＲＦＩＤアンテナ（読出装置）
５０              仕切板
５１              仕切本体
５１ａ            突起
５１ｂ            突起
５２              蓋
６０              電磁遮蔽材（電磁波干渉防止部材の一部）
１００            書庫（什器の一部）
１０１            上棚収納部（収納部）
１０２            下棚収納部（収納部）
１０２ａ          下棚右収納部（収納部）
１０２ｂ          下棚左収納部（収納部）
１１１            上棚指示ランプ
１１２            下棚指示ランプ
１１５            解錠ランプ
１１６            スピーカ
１１７            施解錠装置
２００            ラテラル（什器の一部）
２０１、２０２、２０３、２０４    引き出し
【図１】
2005150314.tif 000003
【図２】
2005150314.tif 000004
【図３】
2005150314.tif 000005
【図４】
2005150314.tif 000006
【図５】
2005150314.tif 000007
【図６】
2005150314.tif 000008